(57)【要約】【課題】個人を特定する複数のスイッチに関し操作性の良い体組成計を提供する。【解決手段】記憶部に記憶している性別、年齢、身長の個人データを呼び出すための複数の個人データ呼び出しスイッチ１５−１，…、１５−４を備え、このうちスイッチ１５−１，１５−２は左握部１１の電流印加用電極１３Ｌの右側近傍に配置し、スイッチ１５−３，１５−４は右握部１２の電流印加用電極１３Ｒの左側近傍に配置する。スイッチ１５−１，１５−２は握部１１，１２を両手で把持した状態において、左手の親指で、スイッチ１５−３，１５−４は右手の親指でそれぞれ操作することが出来る。【選択図】図３
2006167073.tif 000002
【特許請求の範囲】
【請求項１】
電流印加用電極及び電圧検知用電極が設置された握部を両手で把持することによって、該両手の所定の部位を前記電流印加用電極及び電圧検知用電極のそれぞれに接触させて、生体に印加した電流によって生じる電圧に基づきインピーダンスを計測するものであって、
性別、年齢、身長などの個人データを入力する入力手段と、複数の個人の前記個人データを各個人の個人データであることが識別できるように記憶する記憶手段と、所定のスイッチを操作することで、前記個人データを各個人毎に呼び出す個人データ呼び出し手段と、を備える体組成計において、
前記個人データ呼び出し手段は、前記所定のスイッチを、両手で前記握部を把持した状態で操作し得る位置に配置したことを特徴とする体組成計。
【請求項２】
前記電流印加用電極及び電圧検知用電極は、体組成計本体より左右に一体的に突出して形成した一対の握部に形成されるものであり、前記呼び出し手段の所定のスイッチは、前記左右の握部間で、かつ電極近傍に配置されることを特徴とする請求項１記載の体組成計。
【請求項３】
前記所定のスイッチは複数のスイッチからなり、第１と第２のグループに分けられ、第１のグループは右握部の最も左側の電極の近傍に、第２のグループは左握部の最も右側の電極の近傍に配置されていることを特徴とする請求項２記載の体組成計。
【請求項４】
前記所定のスイッチは、前記電極に囲まれる領域に配置されることを特徴とする請求項１，請求項２または請求項３記載の体組成計。
【請求項５】
前記所定のスイッチは、体組成計本体において前記所定のスイッチ以外のスイッチが配置される操作部と同一面である表面に形成したものであることを特徴とする請求項１、請求項２，請求項３または請求項４記載の体組成計。
【請求項６】
前記所定のスイッチは、体組成計本体において前記所定のスイッチ以外のスイッチが配置される操作部と異なる面に形成したものであることを特徴とする請求項１、請求項２、請求項３または請求項４記載の体組成計。
【請求項７】
前記所定のスイッチは複数のスイッチからなり、第１と第２のグループに分けられ、第１のグループは、体組成計本体の左側面部に配置され、第２のグループは、体組成計本体の右側面部に配置されていることを特徴とする請求項１記載の体組成計。
【発明の詳細な説明】
【技術分野】
【０００１】
この発明は、生体のインピーダンスを計測し、この計測値に基づいて体脂肪量・率、除脂肪量・率、内臓脂肪面積・量、筋肉量・率、水分量等の体組成を測定する体組成計に関する。
【背景技術】
【０００２】
一般に、表示部、操作部を有する体組成計本体の左右に電流印加用電極及び電圧検知用電極を設けた握部を設け、この握部を両手で把持して生体のインピーダンスを計測し、この計測値に基づいて体脂肪量・率などを測定する体組成計が知られている。
【０００３】
従来、この種の体組成計において、両手で電流印加用電極及び電圧検知用電極を把持した状態で計測開始スイッチを操作できるように操作本体部の両端に設けた電極把持部のうち、右手の親指側の電流印加用電極部の先端部を欠いて、計測開始スイッチを設けることが開示されている（例えば特許文献１参照）。また、電流印加用電極及び電圧検知用電極を形成したグリップ部を体組成計本体の両側に設け、このグリップ部の電極をそれぞれ両手で握って測定を行う体組成計において、右手グリップの上端と体組成計本体の一体連結部に計測開始スイッチを設けた体組成計が開示されている（例えば特許文献２参照）。
【特許文献１】特開平１０−１７４６８０号公報
【特許文献２】特開平１０−１７９５３４号公報
【発明の開示】
【発明が解決しようとする課題】
【０００４】
近年の体組成計においては、操作部に、複数の個人データ呼び出しスイッチを設けており、使用者が予め性別、年齢、身長などの個人データをスイッチ番号に対応して記憶しておき、計測時には自己の個人データが登録されている個人データ呼び出しスイッチを操作し、個人データを呼び出して測定開始するものが開発されている。
【０００５】
この種の呼び出しスイッチは、操作本体部の他のスイッチと同じ領域に配置されるものであり、表示部より、下方に位置するところから握部を把持した状態では、操作し辛く、握部を把持することなく、体組成計本体を片手で支持し、他方の手で入力操作し、その後握部を把持するものであるから、握部を把持する前に個人データ呼び出しスイッチを操作し、次に握部を把持するという手間を要し操作性が悪いという問題がある。一方、上記特許文献１，２には、１個の測定開始スイッチを操作部とは異なる領域に備えるものの、特定の個人データを呼び出す個人データ呼び出しスイッチを複数設けること、および、これらを、操作部とは異なる領域に配置することについては、全く開示されていない。
【０００６】
この発明は、上記問題点に着目してなされたものであって、個人を特定する複数のスイッチに関し操作性の良い体組成計を提供することを目的とする。
【課題を解決するための手段】
【０００７】
この発明の体組成計は、電流印加用電極及び電圧検知用電極が設置された握部を両手で把持することによって、該両手の所定の部位を前記電流印加用電極及び電圧検知用電極のそれぞれに接触させて、生体に印加した電流によって生じる電圧に基づきインピーダンスを計測するものであって、
性別、年齢、身長などの個人データを入力する入力手段と、複数の個人の前記個人データを各人の個人データであることが識別できるように記憶する記憶手段と、所定のスイッチを操作することで、前記個人データを各個人毎に呼び出す個人データ呼び出し手段とを備えるものにおいて、  前記個人データ呼び出し手段は、前記の所定のスイッチを、両手で前記握部を把持した状態で操作し得る位置に配置したことを特徴とする。
【０００８】
この発明において、前記電流印加用電極及び電圧検知用電極は、例えば体組成計本体より左右に一体的に突出して形成した一対の握部に形成されるものであり、前記呼び出し手段の所定のスイッチは、前記左右の握部間で、かつ電極近傍に配置している。
【０００９】
又、この発明において、前記の所定のスイッチは複数のスイッチからなり、第１と第２のグループに分けられ、第１のグループは、右握部の最も左側の電極近傍に、第２のグループは左握部の最も右側の電極近傍に、それぞれ配置されるものであっても良い。
【００１０】
また、この発明において、前記所定のスイッチは、前記電極に囲まれる領域に配置されるものでも良い。
【００１１】
また、この発明において、前記所定のスイッチは、例えば、体組成計の体組成計本体の前記所定のスイッチ以外のスイッチが配置される操作部と同一面である表面に形成したものである。
【００１２】
また、この発明において、前記所定のスイッチは複数のスイッチからなり、体組成計の体組成計本体の前記所定のスイッチ以外のスイッチが配置される操作部と異なる面に形成したものでも良い。
【００１３】
また、この発明において、前記所定のスイッチは複数のスイッチからなり、第１と第２のグループに分けられ、第１のグループは、体組成計の体組成計本体の左側面部に配置され、第２のグループは、体組成計の体組成計本体の右側面部に配置されるものでもよい。
【発明の効果】
【００１４】
この発明によれば、個人データ呼び出し用の所定のスイッチを、両手で握部を把持した状態で操作し得るように、左右の握部の間でかつ、左右電極の近傍に設け、体重計部に収納された体組成計本体を測定時に握って取り出し、その後両手を離すことなく測定できるようにしたので、計測時に、両手の所定部位と電極部の接触状態が安定し、計測誤差が発生しない。また、握部を把持したまま、個人データ呼び出し用の所定スイッチを操作できるので、操作性が向上する。
【発明を実施するための最良の形態】
【００１５】
以下、実施の形態により、この発明を詳細に説明する。図１は、この発明の一実施形態である体組成計の外観図、図２は、同体組成計の体重計の背面図である。この実施形態体組成計１は、体重計２と、体組成計本体３とから構成されている。体重計２と体組成計本体３とは、伸縮自在なコード７で電気的に接続されている。
【００１６】
体重計２は、内部に体重測定用の歪みセンサーを備えるとともに、表面に生体インピーダンス測定用の左足電極８Ｌ、９Ｌ、右足電極８Ｒ，９Ｒを備えている。左足電極８Ｌと右足電極８Ｒは、高周波電流印加用の電極である。左足電極９Ｌと右足電極９Ｒは、電圧検知用の電極である。また、体重計２の背面に電源スイッチ２ａを備えている。体重計２は、左足電極８Ｌと右足電極８Ｒの間及びその前方に、体組成計本体３を収納する収納部１０を備えている。
【００１７】
体組成計本体３は、本体部４と、左握部１１と、右握部１２とからなり、本体部４には表示部５と操作部６を備えている。本体部４の両側には、自転車のハンドル状に左握部１１と右握部１２が一体的に形成されている。左握部１１には左手電極１３Ｌ，１４Ｌが、右握部１２には右手電極１３Ｒ，１４Ｒが、それぞれ設けられている。左手電極１３Ｌと右手電極１３Ｒは、高周波電流印加用の電極であり、左手電極１４Ｌと右手電極１４Ｒは、高周波電流の印加により、生体部位間に生じる電圧を得る電圧検知用の電極である。これら電極１３Ｌ，１４Ｌ，１３Ｒ，１４Ｒは内部で本体部４の回路部に接続されている。
【００１８】
体組成計本体３の拡大図を図３に示す。表示部５は、設定値、測定値などの主データ及び低い・標準・やや高い・高いなどのレベルを表示する表示部５−１と、ＢＭＩ、基礎代謝を表示する表示部５−２と、体年齢を表示する表示部５−３とを有する。操作部６にはゲストスイッチ１５−５、ＤＯＷＮスイッチ１６、ＵＰスイッチ１７、設定スイッチ１８、体重スイッチ１９−１、骨格筋率スイッチ１９−２、体脂肪率スイッチ１９−３、及び内臓脂肪レベルスイッチ１９−４を備えている。また、操作部６のスイッチ配置領域と異なる場所であって、左手の電流印加用電極１３Ｌの近傍で、表示部５−１との間に被測定者の個人データを呼び出すためのスイッチ１５−１，１５−２を設け、右手の電流印加用電極１３Ｒの近傍で表示部５−１との間に被測定者の個人データ呼び出すためのスイッチ１５−３，１５−４を、設けている。
【００１９】
スイッチ１５−１，１５−２，１５−３，１５−４は予め登録されている個人１、個人２、個人３、個人４の個人データを呼び出すためのスイッチである。これらの個人データ呼び出し用のスイッチ１５−１、・・・、１５−４を操作部６のスイッチ配置領域ではなく左手の電流印加用電極１３Ｌと右手の電流印加用電極１３Ｒの間でそれぞれの近傍に配置したことが、この実施形態体組成計のもっとも特徴とするところである。
【００２０】
ゲストスイッチ１５−５は、登録外の他の人、つまりゲストが本装置を使用する場合に使用するスイッチである。ＤＯＷＮスイッチ１６はマーカあるいは数値を下降、上昇させる場合に操作するスイッチである。設定スイッチ１８は、種々の項目を設定する際に使用するスイッチである。体重スイッチ１９−１は、測定結果のうち、「体重」を呼び出し表示する際に操作するスイッチである。骨格筋率スイッチ１９−２は測定結果のうち「骨格筋率」を呼び出し表示する際に操作するスイッチである。体脂肪率スイッチ１９−３は、測定結果のうち「体脂肪率」を呼び出し表示する際に操作するスイッチである。内臓脂肪レベルスイッチ１９−４は、測定結果のうち「内臓脂肪レベル」を呼び出し表示する際に操作するスイッチである。すなわちスイッチ１９−１，１９−２，１９−３、１９−４は、測定結果を確認するための確認スイッチである。
【００２１】
この実施形態体組成計の回路構成を図４に示す。上述したように、この体組成計の体重計２には、体重測定用の歪センサを内蔵するとともに、生体インピーダンス測定用の右足電極８Ｒと左足電極８Ｌは、高周波電流印加用電極、右足電極９Ｒと左足電極９Ｌは電圧検知用電極である。体組成計本体３は、表示部５と、操作部６と、生体インピーダンス測定部２２と、信号切替回路２３と、Ａ／Ｄ変換部２４と、ＣＰＵ２５と、外部メモリ２６とを備えている。
【００２２】
生体インピーダンス測定部２２は、右足電極８Ｒ（９Ｒ）、左足電極８Ｌ（９Ｌ）、右手電極１３Ｒ（１４Ｒ）、左手電極１３Ｌ（１４Ｌ）が接続され、電圧検知用電極間の電圧を検出し、生体インピーダンスを測定する。この生体インピーダンス測定部２２では、全身及び体幹、脚、腕等の各部位のインピーダンスをそれぞれ測定できる。信号切替回路２３は．ＣＰＵ２５の切替指令により、体重計２からの測定体重信号と、生体インピーダンス測定部２２で測定した生体インピーダンスを切り替えて出力する。Ａ／Ｄ変換部２４は、信号切替回路２３から出力された信号をアナログからデジタル信号に変換して、ＣＰＵ２５に入力する。ＣＰＵ２５は、予め操作部６より入力されている性別、年齢、身長などの個人データと、体重計２から入力される体重と、生体インピーダンス測定部２２から入力される生体インピーダンスに基づいて、体脂肪量・率、除脂肪量・率、内臓脂肪面積・量、筋肉率、その他の体組成を全身及び部位毎に算出する機能を有する。外部メモリ２６は、個人データ記憶領域を備え、個人１，個人２，個人３，個人４に対応してそれぞれ「年齢」、「性別」、「身長」などが登録できる。また各個人毎に、測定した過去の体組成データを記憶することが出来る。この個人データ記憶領域はＣＰＵ２５内のメモリに設けても良い。
【００２３】
この実施形態体組成計１においては、複数の使用者〔被測定者〕があらかじめ、自分の個人データを登録しておくことが出来る。登録は、電源スイッチ２ａをオンして「０．０ｋｇ」が表示部５−１に表示されている状態で、登録する個人データ呼び出しスイッチを押す。例えば、個人データ呼び出しスイッチ１５−１を押す。これにより、選択した個人番号１が表示部５−１に点灯表示される。続いて設定スイッチ１８を押し、個人番号を確定する。その後「年齢」を入力し、設定スイッチ１８を押し、「年齢」を登録する。続いて「性別」を入力し、設定スイッチ１８を押し「性別」を登録する。最後に「身長」を入力し、設定スイッチ１８を押し、「身長」を登録する。以上のようにして、外部メモリ２６に個人１，個人２，個人３，個人４に対応して、それぞれ「年齢」、「性別」、「身長」が登録される。なお、「ウエスト周径囲」などの個人データを、さらに登録するようにしてもよい。
【００２４】
次に、この実施形態体組成計の体重、体組成の測定時の処理動作を、図７に示すフロー図を参照して説明する。使用者が測定を行うために電源スイッチ２ａをオンすると、処理動作が開始され、ステップＳＴ１において、表示部５−１に「ＣＡＬ」を点滅表示する。この点滅表示中に、装置は、正しく測定できるかを確認（キャリブレーション）している。
キャリブレーション終了で、ステップＳＴ２に移行し、表示部５−１に「０．０ｋｇ」を表示する。この、「０．０ｋｇ」が表示される前に体重計に乗ったり、動かしたりすると「Ｅｒｒ（エラー）」が表示される。次にステップＳＴ３へ移行する。
【００２５】
ステップＳＴ３においては、体組成計本体３を収納部１０から取り外されたか否かを判定する。取り外しがなされるまで、ステップＳＴ２，ＳＴ３の処理により「０．０ｋｇ」の表示が継続される。この「０．０ｋｇ」の表示を見ると使用者は体組成計本体３を収納部１０から取り外すことになっており、取り外しが判定されるとステップＳＴ４へ移行する。
【００２６】
ステップＳＴ４においては、使用者が自分の個人データを呼び出すため、個人データ呼び出しスイッチ１５−１、…、１５−４のうち自分の個人データを登録した個人データ呼び出しスイッチを押し、これに応じて表示部５−１に、登録した個人番号が点灯表示される。ここで、例えば個人番号「１」を選ぶ場合は、スイッチ１５−１を図５に示すように左手で左握部の電極１３Ｌ，１４Ｌを握った状態で親指により押す。選択した個人番号に個人データが登録されていない場合は、個人番号が点灯されず、点線（バー）の表示がなされる。
【００２７】
続いてステップＳＴ５へ移行する。ステップＳＴ５においては、個人データ呼び出しスイッチが押されたか否か判定する。所定時間、個人データ呼び出しスイッチが押されないと、ステップＳＴ１７へ移行する。一方、スイッチ１５−１，…、１５−４のうちのいずれかが押されると、ステップＳＴ６へ移行する。ステップＳＴ６においては、押されたスイッチに対応する個人データが登録されているか否か判定する。登録されていなければ登録処理へ移る。一方、登録されていればステップＳＴ７へ移行する。この段階では、使用者は体重計２に乗っており、ステップＳＴ７において、体重測定を開始する。体重測定終了でステップＳＴ８に移行し体重確認のための表示として、表示部５−１に測定体重値の表示を２回点滅させてその旨を表示する。つぎにステップＳＴ９に移行する。
【００２８】
ステップＳＴ９においては、体組成測定を開始し、さらにステップＳＴ１０において体組成測定を実行する。この間、表示部５−１に進行状況をバー表示で知らせる。ステップＳＴ１１において体組成測定終了が判定されると、ステップＳＴ１２に移行する。ステップＳＴ１２においては、表示部５−１に測定体重を表示するとともに、表示部５−２にＢＭＩが、表示部５−３に体年齢が、それぞれ表示される。次ぎにステップＳＴ１３へ移行する。ステップＳＴ１３においては確認スイッチ、つまりスイッチ１９−１、…、１９−４のいずれかが押されたか否か判定する。スイッチ１９−１、…、１９−４のいずれか一つが押されるとステップＳＴ１４へ移行する。ステップＳＴ１４においては押された確認スイッチに応じた体組成を表示する。例えば、体脂肪率スイッチ１９−３が押された場合は表示部５−１に体脂肪率の数値及び体脂肪率の判定が表示される。体脂肪率の判定は、低い・標準・やや高い・高いの、どのレベルかをバー表示する。次に、ステップＳＴ１５へ移行する。ステップＳＴ１５においては、他の確認スイッチが押されたか否かを判定する。他のいずれかの確認スイッチが押されるとステップＳＴ１４へ戻り、その押されたスイッチに対応する体組成を表示する。ステップＳＴ１５において所定時間にわたり確認スイッチが押されないとステップＳＴ１６に移行する。ステップＳＴ１６において電源スイッチ２ａが押されると処理を終了する。
【００２９】
ステップＳＴ５において、個人データ呼び出しスイッチ１５−１，…、１５−４が押されずに、図６に示すようにゲストスイッチ１５−５が押された場合は、ステップＳＴ１７の判定がＹＥＳで、ステップＳＴ１８へ移行する。ステップＳＴ１８においては、年齢、性別、身長の個人データを設定し、ステップＳＴ７へ移行し、体重測定に移る。
【００３０】
なお、上記図１、図３に示す実施形態では、個人を特定するスイッチ１５−１，…、１５−４を体組成計本体３の表面に配置する場合を示したが、他の実施形態として図８に示すように、スイッチ１５−１，１５−２を体組成計本体３の裏面の右手電極１３Ｒの近傍に上下に配置し、スイッチ１５−３，１５−４を裏面の左手電極１３ｌの近傍に、上下に配置しても良い。また、スイッチ１５−１とスイッチ１５−２、スイッチ１５−３とスイッチ１５−４をそれぞれ水平方向に並べて配置しても良い。またスイッチ１５−１とスイッチ１５−２，スイッチ１５−３とスイッチ１５−４をそれぞれ斜めの方向に配置しても良い。これらのように裏面に配置したスイッチは、左右の握部を左右の手で握った状態で、スイッチ１５−１，１５−２は右手の人差し指で、スイッチ１５−３，１５−４は左手の人差し指で操作する。
【００３１】
また、他の実施形態として、図９に示すように、個人データ呼び出しスイッチ１５−１，１５−２を体組成計本体の操作部４の右側面に、スイッチ１５−３、１５−４を左側面に設けても良い。この場合、左右の親指の先端で、スイッチを押す。
【００３２】
さらに、他の実施形態として、個人データ呼び出しスイッチ１５−１、・・・、１５−４は、左手電極１３Ｌ、１４Ｌ及び右手電極１３Ｒ、１４Ｒの配置領域内に、各電極と離隔して配置しても良い。この場合、スイッチが配置される各電極は、スイッチの配置領域をくり抜いたパターンに形成される。  
【図面の簡単な説明】
【００３３】
【図１】この発明の一実施形態である体組成計を示す外観図である。
【図２】同実施形態体組成計を構成する体重計の背面図である。
【図３】同実施形態体組成計の組成計本体の拡大外観図である。
【図４】同実施形態体素子計の回路構成を示すブロック図である。
【図５】同実施形態組成計において個人を特定するスイッチの操作を説明する図である。
【図６】同実施形態体組成計において、ゲストスイッチの操作を説明する図である。
【図７】同実施形態体組成計の体組成測定時の処理動作を説明するフロー図である。
【図８】この発明の他の実施形態である体組成計の体組成計本体の一部裏面を示す図である。
【図９】この発明の、さらに他の実施形態である体組成計の体組成計本体を示す図である。
【符号の説明】
【００３４】
１                              体組成計
２                              体重計
３                              体組成計本体
５                              表示部
６                              操作部
７                              コード
８Ｌ、８Ｒ                      足用電流印加用電極
９Ｌ、９Ｒ                      足用電圧検知用電極
１０                            収納部
１１，１２                      握部
１３Ｌ、１３Ｒ                  手用電流印加用電極
１４Ｌ、１４Ｒ                  手用電圧検知用電極
１５−１、１５−２              個人データ呼び出しスイッチ
１５―３、１５−４              個人データ呼び出しスイッチ
１５−５                        ゲストスイッチ
１６                            ＤＯＷＮスイッチ
１７                            ＵＰスイッチ
１８                            設定スイッチ
１９−１                        体重スイッチ
１９−２                        骨格筋率スイチ
１９−３                        体脂肪率スイッチ
１９−４                        内臓脂肪率レベルスイッチ
【図１】
2006167073.tif 000003
【図２】
2006167073.tif 000004
【図３】
2006167073.tif 000005
【図４】
2006167073.tif 000006
【図５】
2006167073.tif 000007
【図６】
2006167073.tif 000008
【図７】
2006167073.tif 000009
【図８】
2006167073.tif 000010
【図９】
2006167073.tif 000011